(57)【要約】  ＭＰＥＧ伸長部２１は、チューナ２から入力されたビデオ信号を伸長することによりフレーム毎の映像データをバッファ部２２に格納する。表示部２３は、バッファ部２２から順次読み出した映像データに基づいて、番組の映像をディスプレイ１３上に表示する。映像処理部２４は、バッファ部２２から順次読み出したフレーム毎の映像データにおける、当該番組を放送している放送局について緊急放送定義中に定義された場所が示す領域をメモリ１７にコピーする。判断部は、メモリ１７にコピーされた映像データに、当該放送局について緊急放送定義中に定義された何れかの文字パターンが含まれているかどうかをチェックする。映像データ中に何れかの文字パターンが含まれていた場合、ファイル録画部２７は、文字パターンが含まれている映像以後所定時間分の映像をビデオデータとしてハードディスク１１に録画し、処理部２６は、緊急放送があった旨のメッセージをディスプレイ１３上に表示し、視聴者からの再生命令に応じて、ハードディスク１１からビデオデータを読み出して再生する。
2009084110.tif 000002
【特許請求の範囲】
【請求項１】
テレビジョン放送された番組をディスプレイ上に表示する放送の表示装置であって、
受信チャネルが設定可能であり、設定されたチャネルにて放送されているテレビジョン放送信号からビデオデータを分離するチューナと、
チャネル毎に、映像内において緊急放送によるテロップ表示を行う領域の位置及びテロップが緊急放送によるものである旨を示す文字パターンの定義を対応付けて記憶する記憶装置と、
前記チューナによって分離されたビデオデータに基づいて映像を前記ディスプレイ上に表示する表示部と、
前記チューナによって分離されたビデオデータが表すフレームの映像毎に、前記チューナに設定されているチャネルに対応付けて前記記憶装置に記憶されている位置の定義が示す領域に、同チャネルに対応付けて前記記憶装置に記憶されている文字パターンの定義が示す文字パターンが含まれているか否かを判断する判断部と、
前記領域に前記文字パターンが含まれていると前記判断部が判断した場合に、前記領域の映像を所定時間に亘って録画する録画部と、
前記録画がなされる場合には、緊急放送があった旨のメッセージを前記ディスプレイ上に表示するとともに、前記録画部によって録画された前記領域の映像を前記ディスプレイ上に表示する表示処理部と
を備えたことを特徴とする放送の表示装置。
【請求項２】
前記判断部は、前記チューナによって分離されたビデオデータが表す各フレームの映像から、前記チューナに設定されているチャネルに対応付けて前記記憶装置に記憶されている位置の定義が示す領域のみをメモリにコピーし、当該メモリにコピーされた映像に同チャネルに対応付けて前記記憶装置に記憶されている文字パターの定義が示す文字パターンが含まれているか否かを判断する
ことを特徴とする請求項１記載の放送の表示装置。
【請求項３】
前記録画部は、前記判断部によってメモリにコピーされた映像を所定時間分ビデオデータとして録画し、
前記表示処理部は、前記ビデオデータに基づいて前記領域の映像を前記表示部によって前記ディスプレイ上に表示する
ことを特徴とする請求項２記載の放送の表示装置。
【請求項４】
前記表示処理部は、入力装置を介して視聴者によって入力された命令に応じて、前記録画部によって録画された前記領域の映像を前記表示部によって前記ディスプレイ上に表示する
ことを特徴とする請求項１記載の放送の表示装置。
【請求項５】
受信チャネルが設定可能であり、設定されたチャネルにて放送されているテレビジョン放送信号からビデオデータを分離するチューナ，記憶装置，及びディスプレイを有するコンピュータを、
チャネル毎に、映像内において緊急放送によるテロップ表示を行う領域の位置及びテロップが緊急放送によるものである旨を示す文字パターンの定義を対応付けて前記記憶装置に記憶する記憶手段，
前記チューナによって分離されたビデオデータに基づいて映像を前記ディスプレイ上に表示する表示手段，
前記チューナによって分離されたビデオデータが表すフレームの映像毎に、前記チューナに設定されているチャネルに対応付けて前記記憶装置に記憶されている位置の定義が示す領域に、同チャネルに対応付けて前記記憶装置に記憶されている文字パターンの定義が示す文字パターンが含まれているか否かを判断する判断手段，
前記領域に前記文字パターンが含まれていると前記判断手段が判断した場合に、前記領域の映像を所定時間に亘って前記記憶装置に録画する録画手段，及び
前記録画がなされる場合には、緊急放送があった旨のメッセージを前記ディスプレイ上に表示するとともに、前記録画手段によって録画された前記領域の映像を前記ディスプレイ上に表示する表示処理手段と
して機能させることを特徴とするコンピュータプログラム。
【請求項６】
受信チャネルが設定可能であり、設定されたチャネルにて放送されているテレビジョン放送信号からビデオデータを分離するチューナ，記憶装置，ディスプレイ及び処理装置を有する表示装置における、放送の表示方法であって、
前記記憶装置が、チャネル毎に、映像内において緊急放送によるテロップ表示を行う領域の位置及びテロップが緊急放送によるものである旨を示す文字パターンの定義を対応付けて記憶し、
前記ディスプレイが、前記チューナによって分離されたビデオデータに基づいて映像を前記ディスプレイ上に表示し、
前記処理装置が、前記チューナによって分離されたビデオデータが表すフレームの映像毎に、前記チューナに設定されているチャネルに対応付けて前記記憶装置に記憶されている位置の定義が示す領域に、同チャネルに対応付けて前記記憶装置に記憶されている文字パターンの定義が示す文字パターンが含まれているか否かを判断し、
前記処理装置が、前記領域に前記文字パターンが含まれていると前記判断手段が判断した場合に、前記領域の映像を所定時間に亘って前記記憶装置に録画し、
前記処理装置が、前記録画を行う場合には、緊急放送があった旨のメッセージを前記ディスプレイ上に表示するとともに、前記記憶装置に録画されている前記領域の映像を前記ディスプレイ上に表示する
ことを特徴とする放送の表示方法。
【発明の詳細な説明】
【技術分野】
【０００１】
本発明は、テレビジョン放送の放送信号をチューナを用いて受信し、当該放送信号によって搬送されたビデオデータに基づいてディスプレイ上に番組を表示するための放送の表示装置，放送の表示方法，上記チューナを内蔵又は外付け可能なコンピュータに対して上記放送の表示方法を実施させるためのコンピュータプログラムに、関するものである。
【背景技術】
【０００２】
近年、テレビ放送の方式が、従来のアナログ方式からデジタル方式に移行しつつある。そのため、回路規模が小さくても受信感度が高いチューナを開発可能となったので、デジタルテレビジョン放送（とりわけ、携帯電話・移動端末向けの放送，例えば、日本における１セングメント部分受信サービス［以下、特記する必要がある場合には、「ワンセグ」と表記する］）用のチューナを内蔵したパーソナルコンピュータや、モバイルコンピューティング装置（デジタル音楽プレーヤー，ＰＤＡ［Personal Digital Assistance］，スマートフォン，携帯電話，等）や、パーソナルコンピュータに接続可能なデジタルテレビジョン放送受信用のチューナが、市販されている。なお、これらの製品には、チューナを制御するとともに、当該チューナがデジタルテレビジョン放送の放送信号を受信することによって当該放送信号から分離したビデオ信号に基づいて、ディスプレイ上に表示（即ち、番組の表示）を行うためのアプリケーションプログラムが、添付（チューナ内蔵型の製品においてはプリインストール）されている。【０００３】
図５は、かかるアプリケーションプログラムによってディスプレイ上に表示されるデジタルテレビジョン放送番組表示用のウィンドウの一般例を示す。図５に示されるように、かかるアプリケーションプログラムによるデジタルテレビジョン放送番組用のウィンドウ内には、番組内容を動画表示する番組表示欄３１，当該番組表示欄３１に表示される番組のチャネルを切り換えたり、当該アプリケーションプログラムの録画機能を動作するために操作される複数の操作ボタン３２ａを含む操作パネル３２が、常時表示されている。当該ウィンドウ３０の残りのスペースはフリースペース３３となっており、番組内容以外の関連情報が表示される。例えば、番組表示欄３１に表示中の番組とチャネルによりデータ放送がなされている場合には、当該データ放送の内容３４が表示される（図５は、データ放送の内容が表示されている状態を示す）。また、当該アプリケーションプログラムのプロパティやオプション設定用のＧＵＩも、必要に応じて、当該フリースペース３３に表示される。【０００４】
ところで、デジタルテレビジョン放送においても、従来のアナログ放送と同様に、地震速報や各種注意報・警報等の告知のための気象速報，等の緊急放送が、行われる。かかる緊急放送は、速報性が重視されるとともに視聴者に対して強制的且つ一方的に告知する必要があるので、視聴者の積極的操作が必要な放送形態であるデータ放送に乗せることは適切ではなく、よって、動画表示されている番組の映像上に、テロップとして表示（スーパーインポーズ）される。【０００５】
しかしながら、パーソナルコンピュータのディスプレイ画面の一部のみに表示されたり、元々面積が小さいモバイルコンピューティング装置のディスプレイに表示されるウィンドウ内の番組表示欄３１は、絶対的な面積が小さいので、その解像度がいくら高くても、そのテロップの内容を一目で認識することは困難であった。とりわけ、日本におけるワンセグ放送のように、元々の使用周波数帯域幅が狭いデジタルテレビジョン放送による場合においては、解像度が低いために元々解読が難しいのに加えて、番組の映像が激しく変化するとコマ落ちが生じる結果として益々読み辛くなるという問題がある。【０００６】
この問題を解決するための一方法として、緊急放送を音声出力することも考えられるが、例えば、パーソナルコンピュータにおいてデジタルテレビジョン放送を視聴する場合、他の作業を行う合間に視聴をするという態様でなされることが多く、その場合には、音声のボリュームは絞られることが殆どであるので、結局、緊急放送が見逃されてしまうことになる。そして、一度見逃された緊急放送は、繰り返し放送がなされない限り、視聴者が再びアクセスすることはできないので、当該視聴者は緊急放送の内容を知らずに危機を迎えてしまうことになりかねない。【０００７】
なお、日本国特開平10-232884号公報には、画面上に表示されたテロップを識別するために、映像ソフトの構成データが変化することに着目する手法が開示されている。そこで、この公報に開示された技術を用いて、デジタルテレビジョン放送されている映像中の緊急放送の内容を自動認識することが考えられる。しかしながら、テレビジョン放送の映像上にスーパーインポーズされるテロップは緊急放送に限られず、例えば、字幕やその他の効果文字も含まれ、また、表示されたテロップが緊急放送であることを示す表示も、各放送局毎に異なるところ、上記公報記載の手法によると、これら玉石混合のテロップの中から緊急放送のみを正確に識別することができない。
【特許文献１】特開平10-232884号公報
【発明の開示】
【発明が解決しようとする課題】
【０００８】
そこで、本発明の課題は、パーソナルコンピュータやモバイルコンピューティング装置のようなコンピュータのディスプレイ上にテレビジョン放送の番組の映像を表示する際に、当該番組の映像中にスーパーインポーズされている緊急放送のテロップを識別して、当該緊急放送のテロップの映像を記録して、視聴者の求めに応じて再表示することができるテレビジョン放送の表示装置，テレビジョン放送の表示方法及びコンピュータプログラムを、提供することである。
【課題を解決するための手段】
【０００９】
本発明によるテレビジョン放送された番組をディスプレイ上に表示する放送の表示装置であって、受信チャネルが設定可能であり、設定されたチャネルにて放送されているテレビジョン放送信号からビデオデータを分離するチューナと、チャネル毎に、映像内において緊急放送によるテロップ表示を行う領域の位置及びテロップが緊急放送によるものである旨を示す文字パターンの定義を対応付けて記憶する記憶装置と、前記チューナによって分離されたビデオデータに基づいて映像を前記ディスプレイ上に表示する表示部と、前記チューナによって分離されたビデオデータが表すフレームの映像毎に、前記チューナに設定されているチャネルに対応付けて前記記憶装置に記憶されている位置の定義が示す領域に、同チャネルに対応付けて前記記憶装置に記憶されている文字パターンの定義が示す文字パターンが含まれているか否かを判断する判断部と、前記領域に前記文字パターンが含まれていると前記判断部が判断した場合に、前記領域の映像を所定時間に亘って録画する録画部と、前記録画がなされる場合には、緊急放送があった旨のメッセージを前記ディスプレイ上に表示するとともに、前記録画部によって録画された前記領域の映像を前記ディスプレイ上に表示する表示処理部とを、備えたことを特徴とする。【００１０】
本発明によるコンピュータプログラムは、受信チャネルが設定可能であり、設定されたチャネルにて放送されているテレビジョン放送信号からビデオデータを分離するチューナ，記憶装置，及びディスプレイを有するコンピュータを、チャネル毎に、映像内において緊急放送によるテロップ表示を行う領域の位置及びテロップが緊急放送によるものである旨を示す文字パターンの定義を対応付けて前記記憶装置に記憶する記憶手段，前記チューナによって分離されたビデオデータに基づいて映像を前記ディスプレイ上に表示する表示手段，前記チューナによって分離されたビデオデータが表すフレームの映像毎に、前記チューナに設定されているチャネルに対応付けて前記記憶装置に記憶されている位置の定義が示す領域に、同チャネルに対応付けて前記記憶装置に記憶されている文字パターンの定義が示す文字パターンが含まれているか否かを判断する判断手段，前記領域に前記文字パターンが含まれていると前記判断手段が判断した場合に、前記領域の映像を所定時間に亘って前記記憶装置に録画する録画手段，及び、前記録画がなされる場合には、緊急放送があった旨のメッセージを前記ディスプレイ上に表示するとともに、前記録画手段によって録画された前記領域の映像を前記ディスプレイ上に表示する表示処理手段として機能させることを特徴とする。【００１１】
本発明による放送の表示方法は、受信チャネルが設定可能であり、設定されたチャネルにて放送されているテレビジョン放送信号からビデオデータを分離するチューナ，記憶装置，ディスプレイ及び処理装置を有する表示装置における、放送の表示方法であって、前記記憶装置が、チャネル毎に、映像内において緊急放送によるテロップ表示を行う領域の位置及びテロップが緊急放送によるものである旨を示す文字パターンの定義を対応付けて前記記憶装置に記憶し、前記ディスプレイが、前記チューナによって分離されたビデオデータに基づいて映像を前記ディスプレイ上に表示し、前記処理装置が、前記チューナによって分離されたビデオデータが表すフレームの映像毎に、前記チューナに設定されているチャネルに対応付けて前記記憶装置に記憶されている位置の定義が示す領域に、同チャネルに対応付けて前記記憶装置に記憶されている文字パターンの定義が示す文字パターンが含まれているか否かを判断し、前記処理装置が、前記領域に前記文字パターンが含まれていると前記判断手段が判断した場合に、前記領域の映像を所定時間に亘って前記記憶装置に録画し、前記処理装置が、前記録画を行う場合には、緊急放送があった旨のメッセージを前記ディスプレイ上に表示するとともに、前記記憶装置に録画されている前記領域の映像を前記ディスプレイ上に表示することを、特徴とする。
【発明の効果】
【００１２】
以上のように構成された本発明によると、チャネル毎に、映像内において緊急放送によるテロップ表示を行う領域の位置及びテロップが緊急放送によるものである旨を示す文字パターンの定義を対応付けて、記憶装置に記憶されている。従って、現在チューナにて受信している当該チャネルのテレビジョン放送信号に基づいてディスプレイ上に表示されている番組の映像中、緊急放送のテロップが表示される領域が、当該チャネルに対応付けて記憶装置に記憶されている定義に基づいて特定される。また、当該領域に表示されるテロップが緊急放送のものであるかどうかは、各フレームの映像中当該領域内に当該チャネルに対応付けて記憶装置に記憶されている文字パターンの何れかが含まれているかどうかに基づいて判断できる。このようにして当該領域に文字パターンが表れたことが検出されると、その後、当該領域には緊急放送のテロップが所定時間にわたって表示されることになるので、当該領域の映像が所定時間にわたって記憶装置に録画されるとともに、ディスプレイ上にその旨が表示される。このように録画された緊急放送のテロップを含む映像は、録画終了後、任意に再生可能となる。よって、視聴者は、緊急放送を見逃すことがなく、その内容を慎重に確認することができる。
【図面の簡単な説明】
【００１３】
【図１】本発明の実施形態であるデジタルテレビジョン放送の表示装置の概略構成を示すブロック図である。（実施例１）
【図２】チャネルリストのデータ構造を示す表である。（実施例１）
【図３】緊急放送定義のデータ構造を示す表である。（実施例１）
【図４】アプリケーションプログラムをＣＰＵが実行することによって実現される機能の相関を示すブロック図である。（実施例１）
【図５】通常時におけるウィンドウを示す図である。（実施例１）
【図６】設定メニュー表示時におけるウィンドウを示す図である。（実施例１）
【図７】緊急放送の録画が完了した際のウィンドウを示す図である。（実施例１）
【図８】緊急放送の再生時におけるウィンドウを示す図である。（実施例１）
【図９】アプリケーションプログラムに従ってＣＰＵが実行する処理を示すフローチャートである。（実施例１）
【符号の説明】
【００１４】
１    パーソナルコンピュータ
２    チューナ
１１    ハードディスク
１２    ＣＰＵ
１３    ディスプレイ
２４    映像処理部
２５    判断部
２６    処理部
２７    ファイル録画部
【発明を実施するための最良の形態】
【００１５】
以下、本発明によるテレビジョン放送の表示装置の実施の形態を説明する。以下に説明するテレビジョン放送の表示装置は、パーソナルコンピュータのインタフェース（例えば、ＵＳＢインタフェース）に、デジタルＴＶチューナを接続し、当該チューナを制御するとともに当該チューナによって入力されたビデオデータに基づいてディスプレイ上に番組の映像を表示するためのアプリケーションプログラムを当該パーソナルコンピュータのディスク装置にインストールすることによって、構成される。但し、同じ構成のシステムは、パーソナルコンピュータにチューナが内蔵されるとともに、同アプリケーションプログラムにプリインストールされることによっても実現される。また、パーソナルコンピュータの機能を特化すれば、各種モバイルコンピューティング装置と等価となる。即ち、これらの差異は単なる商品構成の相違に他ならず、本発明は、これらのうちのいずれにも限定されない。また、本発明は、アナログテレビジョン放送が行われている限り、アナログテレビジョン放送を受信して表示する表示装置にも適用可能である。
（テレビジョン放送の表示装置の構成）
図１は、本実施形態によるテレビジョン放送の表示装置のハードウェア構成を示すブロック図である。この図１に示されるように、本実施形態によるデジタルテレビジョン放送の表示装置は、ハードウェア構成上、パーソナルコンピュータ１と、そのＵＳＢインタフェース１０に接続されたチューナ２とから構成される。これらパーソナルコンピュータ１やチューナ２自体は、市販されているものであり、夫々に必要な機能を発揮するための一般的な回路構成を備えているものである。従って、それらについての詳細な説明は省略し、以下、本願発明に必要な機能に関するものの説明をするに留める。【００１６】
先ず、チューナ２は、アンテナ３又はケーブルテレビのケーブルを通じてデジタルテレビジョン放送の放送信号を受信して当該放送信号によって搬送されている番組のビデオデータを分離して、当該インタフェースを通じて当該パーソナルコンピュータに入力する。【００１７】
次に、１１は、上記アプリケーションプログラムがインストールされているとともに、当該アプリケーションプログラムによって参照される各種テーブル（図３のチャネルリスト，図４の緊急放送定義）が格納されている記憶装置（記憶手段）としてのハードディスクである。また、１２は、ハードディスク１１にインストールされている各種プログラムを読み出して実行することによってパーソナルコンピュータ１全体の処理を実行するとともに、上記アプリケーションプログラムを実行することによって、チューナ２を制御し、当該チューナ２によって入力されたビデオデータに基づく番組の映像をディスプレイ１３上に表示させるとともに音声をスピーカ１４から出力させる制御装置（制御手段）としてのＣＰＵである。また、１５及び１６は、夫々、視聴者によって操作されることによってＣＰＵ１２に各種命令を入力するキーボード及びポインティングデバイスである。また、１７は、ＣＰＵ１２の作業領域が展開されるメモリである。【００１８】
図２に例示されるチャネルリストは、上記アプリケーションプログラムによる事前処理によって作成されてハードディスク１１に格納されている。このチャネルリストは、チューナ１が存在する地域において当該チューナ１が受信可能な各チャネルに割り当てられている放送局（即ち、同放送局が加入している放送ネットワークのキー局）を、対応付けて定義している。【００１９】
図３に例示される緊急放送定義は、各放送ネットワーク毎に、緊急放送のテロップを表示する画面中の位置及びそのテロップが緊急放送であることを表す文字列が異なることを前提に、各放送ネットワークのキー局毎に、緊急放送のテロップを表示する画面中の位置及びそのテロップが緊急放送であることを表す一乃至複数の文字列（文字パターン）を、対応付けて定義している。なお、画面中の位置は、例えば、画面の左上を原点とし、水平方向及び垂直方向に夫々１画素ずれる毎に一つずつ大きくなるＸ−Ｙ座標値の範囲として、定義されている。なお、チャネルリストと緊急放送定義は、放送局（キー局）をキーとして関連付けられているが、両者を合成して、各チャネル毎に位置の定義及び文字パターンの定義を対応付けた一つのテーブルとしても良い。【００２０】
図４は、ハードディスク１１にインストールされている上記アプリケーションプログラムを実行することによってＣＰＵ１２が実現する一連の機能（ＭＰＥＧ伸長部２１，バッファ部２２，表示部２３，映像処理部２４，判断部２５，処理部２６，ファイル録画部２７）を、ブロック図として表現したものである。【００２１】
図４には図示されていないが、アプリケーションプログラムをＣＰＵ１２が実行することによって得られる機能には、更に、図５〜図８に示すウィンドウ３０をディスプレイ１３上に表示する機能，キーボード１５及びポインティングデバイス１６を通じて入力された視聴者からの命令に応じて、当該ウィンドウ３０のフリースペース３３中に、図６に示す設定メニュー４０を表示する機能が含まれる。この設定メニュー４０には、緊急放送設定アイコン４１が含まれており、このアイコン４１が操作されることにより、緊急放送設定の有無がトグル式に選択されてハードディスク１１に登録される。【００２２】
さらに、アプリケーションプログラムをＣＰＵ１２が実行することによって得られる機能には、チューナ２を制御し、キーボード１５及びポインティングデバイス１６を通じて入力された視聴者からの命令に応じて選択したチャネルをセットし、当該チャネルの放送信号を受信させ、当該放送信号からチューナ２が分離したビデオ信号（ＭＰＥＧ２準拠）を受け取る機能が含まれる。【００２３】
図４に示されるＭＰＥＧ伸長部２１は、チューナ２から受け取ったビデオデータをＭＰＥＧ伸長し、個々のフレーム毎の映像としてバッファ部２２にバッファリングする。【００２４】
表示部２３は、バッファ部２２から各フレーム毎の映像を順次読み出して、ウィンドウ３０中の番組表示欄３１内に表示する。また、表示部２３は、キーボード１５及びポインティングデバイス１６を通じて入力された視聴者からの命令に応じて、フリースペース３３に、要求された情報を表示する（表示手段に相当）。【００２５】
映像処理部２４は、チューナ２にセットしたチャネルを割り当てられている放送ネットワークのキー局名をチャネルリスト（図２）から読み出す。その上で、映像処理部２４は、順次、バッファ部２２からフレーム毎の映像を読み出し、各フレームの映像における上記Ｘ−Ｙ座標値の範囲が示す領域を抽出して、メモリ１７に書き出す。【００２６】
判断部２５は、映像処理部２４がチャネルリスト（図２）から読み出したキー局名に対応したＸ−Ｙ座標値の範囲（当該キー局が緊急放送のテロップをスーパーインポーズする領域の位置）及び文字パターン（当該キー局がテロップが緊急放送のものであることを示す文字列）の定義を、緊急放送定義（図３）を読み出す。その上で、判断部２５は、メモリ１７上に順次書き出された映像を解析することによって、各文字パターンが含まれているかどうかをチェックする。この解析の手法としては、抽出した映像に含まれる線図に対してデジタル文字認識を実行することによって得られた文字列が各文字パターンに一致するかどうかを判定する手法，抽出した映像に含まれる線図と各文字パターンの形状とのパターンマッチングを行って、一致度が所定閾値を越えたかどうかを判定する手法，等が採用可能である。例えば、図５に示すように、番組の映像に「ニュース速報」のテロップがスーパーインポーズされている場合において、このテロップの表示位置が、当該番組のチャネルが割り当てられているキー局について定義されているＸ−Ｙ座標値の範囲に含まれており、且つ、当該キー局について定義されている文字パターンに「ニュース速報」が含まれているかどうかを判断する。なお、映像処理部２４及び判断部２５の全体が、本発明における「判断部（判断手段）」に相当する。【００２７】
ファイル録画部２７は、抽出した映像中に文字パターンが含まれていると判断部２５が判断した時には、それ以後所定時間にわたって映像処理部２４が抽出する一連の映像データにヘッダを付加して、ビデオデータとしてハードディスク１１に録画する（録画部，録画手段に相当）。【００２８】
処理部２６は、抽出した映像中に文字パターンが含まれていると判断部２５が判断した時には、“これから情報の通知が始まる”ことを意味する音声をスピーカ１４から出力し、ウィンドウ３０中のフリースペース３３の表示内容を切り換え、現在緊急放送中である旨を表示する。また、処理部２６は、当該所定時間が経過して録画が完了すると、ウィンドウ３０中のフリースペース３３の表示内容を図７に示すように切り換える。即ち、フリースペース３３中に、「緊急放送がありました」旨のメッセージ３６を、当該メッセージを閉じるための「メッセージを閉じる」ボタン３７，及び、緊急放送についてファイル録画部２７が録画したビデオデータを再生させるための「緊急放送を表示する」ボタン３８ととともに、表示する。この後、処理部２６は、キーボード１５及びポインティングデバイス１６を通じて入力された視聴者からの命令が「メッセージを閉じる」ボタン３７を操作するものであった場合には、メッセージ３６を消去するとともに、ハードディスク１１内の当該緊急放送のビデオデータを消去する。また、「緊急放送を表示する」ボタン３８を操作するものであった場合には、ハードディスク１１内の当該緊急放送のビデオデータを読み出して、図７に示すように、当該ビデオデータに基づいて、当該緊急放送の内容であるテロップの動画３５を、ウィンドウ３０のフリースペース３３に表示する。このとき、処理部２６は、当該ビデオデータに上記ヘッダが付加されていることによって当該ビデオデータが緊急放送を録画したものであると認識し、所定の再生速度（例えば、１／２の速度）にて、緊急放送のテロップを再生表示する（表示処理部，表示処理手段に相当）。【００２９】
図９は、上述したアプリケーションプログラムを読み込んたＣＰＵ１２が実行する処理の主要部を示したフローチャートである。【００３０】
図９に従った処理がスタートして最初のＳ０１では、ＣＰＵ１２（表示部２３）は、ディスプレイ１３上に、ウィンドウを表示し、前回起動時において最後に設定されていたチャネルの放送信号をチューナ２から受け入れ、ＭＰＥＧ伸長し（ＭＰＥＧ伸長部２１）、バッファリングする（バッファ部２２）。そして、バッファリングされた映像データを順次番組表示欄３１に表示するとともに、スピーカ１４から音声出力することにより、番組の動画表示を開始する。【００３１】
次のＳ０２では、ＣＰＵ１２（映像処理部２４）は、ハードディスク１１内において、緊急放送設定がＯＮと設定されているかどうかをチェックする。そして、緊急放送設定がＯＦＦに設定されている場合には、ＣＰＵ１２（表示部２３）は、処理をＳ０１に戻す。【００３２】
これに対して、緊急放送設定がＯＮに設定されている場合には、ＣＰＵ１２（映像処理部２４）は、Ｓ０３において、現在チューナ２に設定されているチャネルに対応したキー局をチャネルリスト（図２）から読み出し、当該キー局について文字パターンが緊急放送定義（図３）に登録されているかどうかをチェックする。そして、文字パターンが一つも登録されていない場合には、処理をＳ０１に戻す。【００３３】
これに対して、文字パターンが一つ以上登録されている場合には、ＣＰＵ１２（映像処理部２４）は、バッファリングされた映像データから、現在のチャネルに対応したキー局について緊急放送定義（図３）に登録されている場所（Ｘ−Ｙ座標値の範囲）が示すブロックを切り出して、メモリ１７にコピーしていく。【００３４】
次のＳ０５では、ＣＰＵ１２（判断部２５）は、Ｓ０４にてメモリ１７にコピーした映像データのブロックに、現在のチャネルに対応したキー局について緊急放送定義（図３）に登録されている何れかの文字パターンが含まれているかどうかを監視開始する。【００３５】
次のＳ０６では、ＣＰＵ１２は、キーボード１５又はポインティングデバイス１６を通じて視聴者からチャネルの変更命令（チャネル変更に関するボタン３２ａに対する操作）が入力されているかどうかをチェックする。そして、チャネルの変更命令が入力されている場合には、ＣＰＵ１２は、処理をＳ０１に戻す。【００３６】
これに対して、チャネルの変更命令が入力されていない場合には、ＣＰＵ１２は、Ｓ０７において、Ｓ０５にて開始した監視の結果として、Ｓ０４にてメモリ１７にコピーした映像データのブロックに、現在のチャネルに対応したキー局について緊急放送定義（図３）に登録されている何れかの文字パターンが発見されたかどうかをチェックし、未だ発見されていない場合には処理をＳ０６に戻す。【００３７】
これに対して、Ｓ０４にてメモリ１７にコピーした映像データのブロックに、現在のチャネルに対応したキー局について緊急放送定義（図３）に登録されている何れの文字パターンも発見されていない場合には、ＣＰＵ１２（ファイル録画部２７）は、Ｓ０８において、緊急放送定義に登録されている何れかの文字パターンが発見された映像ブロック以降メモリ１７にコピーされる一連の映像ブロックにヘッダを付して、ビデオデータとして、ハードディスク１１に格納（録画）開始する。【００３８】
次のＳ０９では、ＣＰＵ１２（ファイル録画部２７）は、Ｓ０８での録画開始以後所定時間が経過することにより録画を終了すべき状態となるのを待つ。そして、録画を終了すべき状態となると、ＣＰＵ１２は、処理をＳ１０へ進め、録画を停止し、図７に示すメッセージ３６及びボタン３７，３８を表示する。【００３９】
次のＳ１１では、ＣＰＵ１２（ファイル録画部２７）は、ＨＤＤ１１内に録画完了したビデオデータのヘッダに、緊急放送であることを書き込む。【００４０】
次のＳ１２では、ＣＰＵ１２（処理部２６）は、キーボード１５又はポインティングデバイス１６を通じて視聴者から緊急放送の再生命令（「緊急放送を表示する」ボタン３８に対する操作）が入力されているかどうかをチェックする。そして、緊急放送の再生命令が入力されていない場合には、ＣＰＵ１２は、処理をＳ０１に戻す。【００４１】
これに対して、緊急放送の再生命令が入力されている場合には、ＣＰＵ１２は、Ｓ１３において、ウィンドウ３０中のフリースペース３３内に緊急放送（テロップの動画）用のダイアログ３５を表示し、ハードディスク１１内に録画されているビデオデータに基づいて、当該ダイアログ内において所定の再生速度で再生する（図８）。この再生が終了すると、ＣＰＵ１３（処理部２６）は、処理をＳ１４へ進め、フリースペース３３からダイアログ３５を消去する。Ｓ１４を完了すると、ＣＰＵ１２は、処理をＳ０６に戻す。【００４２】
以上説明した本実施形態によると、各チャネルを割り当てられた放送局（キー局）毎に、画面内で緊急放送のテロップを表示する位置が異なったり、画面内に表示されたテロップが緊急放送であることを示す文字列が異なっているとしても、これらが予めチャネル毎に定義されているので、映像処理部２４は、定義された位置が示す領域から映像を切り出し、判断部２５は、このようにして切り出された映像内に定義された文字列が含まれているかどうかを判定すれば足りる。従って、玉石混合のテロップの中から緊急放送のものを正確に識別できる一方、緊急放送の有無を監視するためのＣＰＵ１２の負荷を極力抑えることができる。また、緊急放送がなされているとの判断がなされた場合には、映像処理部２４によって切り出された映像がそのまま録画され、緊急放送の終了とともに、緊急放送があった旨のメッセージ３６がその後ウィンドウ３０中のフリースペース３３内に表示される。よって、視聴者が緊急放送がなされている間に緊急放送に気付かなかったとしても、その後で、フリースペース３３を見ることにより、緊急放送がなされていた事実に気付くことができる。しかも、視聴者が「緊急放送を表示する」ボタン３８を操作すれば、ハードディスク１１に録画されていたビデオデータに基づいて緊急放送が所定の速度（例えば、１／２）で再生されるので、たとえ解像度が低かったり文字が小さかったりしても、視聴者はその緊急放送の内容を慎重に確認することができる。【００４３】
なお、上記実施形態では、通常の番組放送の映像から切り出された映像がそのままハードディスク１１に録画されていたが、文字認識処理されることによって得られたテキストがハードディスク１１に記録されても良い。また、一度再生した緊急放送のビデオデータはハードディスク１１から消去されても良いし、繰り返し再生可能とするために残されても良い。また、上記実施形態では、映像処理部２４によって切り出されたブロックの映像のみを録画したが、画面全体を録画しても良い。また、処理部２６による緊急放送の再生に際しては、緊急放送のテロップを拡大して表示しても良い。【００４４】
なお、上記実施形態は、デジタルテレビジョン放送の表示装置を例示したが、これに限定されるものではなく、アナログテレビジョン放送の表示装置にも採用可能である。その場合、アナログテレビジョン放送の放送方式や規格に合致した処理内容に適宜変更すればよい。
【産業上の利用可能性】
【００４５】
以上のように、本発明による放送の表示装置は、パーソナルコンピュータやモバイルコンピューティング装置のようなコンピュータのディスプレイ上にテレビジョン放送の番組の映像を表示する際に、当該番組の映像中にスーパーインポーズされている緊急放送のテロップを識別して、当該緊急放送のテロップの映像を記録して、視聴者の求めに応じて再表示することができる。
【図１】
2009084110.tif 000003
【図２】
2009084110.tif 000004
【図３】
2009084110.tif 000005
【図４】
2009084110.tif 000006
【図５】
2009084110.tif 000007
【図６】
2009084110.tif 000008
【図７】
2009084110.tif 000009
【図８】
2009084110.tif 000010
【図９】
2009084110.tif 000011
【国際調査報告】
2009084110.tif 000012
2009084110.tif 000013
2009084110.tif 000014
2009084110.tif 000015